(57)【要約】【課題】長方形の箱型で、底面にスクリューを設け、一端に開口部を設けた肥料供給用ホッパーにおいて、供給量の調節が簡単で、スクリューに負荷をかけずに常に一定量を取り出すことが出来る農業用施肥装置を提供する。【解決手段】肥料供給用ホッパーの底面に設けたスクリューと、開口部に設けた撹拌羽根の軸をカップリングでつなぎ、開口部の肥料が多くなると、スクリューを停止させ、撹拌羽根だけを回転させて取出を行ない、開口部の肥料が少なくなるとスクリューを回転させて肥料を開口部に送る。又、開口部のシャッターを開口部の面積を調節できるレバーでセットし、別の開閉レバーでシャッターの開閉をさせるようにして、肥料の供給、停止と、供給量の調節を行う。【選択図】        図１
2004305026.tif 000002
【特許請求の範囲】
【請求項１】
上部を長方形の箱型として上面開放可能とし、下部は半円筒形とし、半円筒形の底面に沿ってスクリュー軸を横架し、底面の端部に開口面積の調節が可能な開口部を設けた肥料供給用ホッパーにおいて、スクリュー軸を開口部分とスクリュー部分とに分け、開口部分の回転軸には肥料取出用の撹拌羽根を設け、撹拌羽根付の回転軸と、スクリュー部分の回転軸をカップリングでつないだことを特徴とした農業用施肥装置。
【請求項２】
上部を長方形の箱型として上面開放可能とし、下部は半円筒形とし、半円筒形の底面に沿ってスクリュー軸を横架し、底面の端部に開口面積の調節が可能な開口部を設けた肥料供給用ホッパーにおいて、開口部に開閉可能なシャッターを設け、開口部をシャッターが全閉及び全開させる開閉レバーと、シャッターの開度を調節出来る開度調節レバーを設けたことを特徴とした農業用施肥装置。
【請求項３】
シャッターの開閉レバーの操作機構にバネをセットし、開閉レバーの動作とシャッターの動きに遊びをつくり、シャッターの開閉の途中で開度調節レバーにつながるストッパーに当ててシャッターを止め、シャッターの開度を設定することを特徴とした請求項２記載の農業用施肥装置。
【発明の詳細な説明】
【０００１】
【産業上の利用分野】
この発明は、粉粒状の肥料を一定量づつ農地に散布する施肥装置に関するもので、特に乗用型の茶園管理機にセットして、茶園の畝間に肥料を散布する装置に関する。
【０００２】
【従来の技術】
上部が長方形の箱型で、底部が半円筒形をしたホッパーにスクリュー軸を横架した茶園用施肥機としては、実公昭５６−５３６０２に示すものがある。
【０００３】
【発明が解決しようとする課題】
底面が半円筒形をした容器の底にスクリュー軸を横架し、スクリューの端部の底に開口部を設けてスクリューの回転により肥料を横送りし、開口部から容器の外へ排出する形式の施肥装置において、第１の課題は、開口部から排出される量がスクリューの回転で開口部へ横送りされる量より少ないと、開口部に肥料がたまり、スクリューに過大な負荷が掛り、スクリューが停止してしまうか、無理に回転させるとスクリューが破損してしまうことである。
【０００４】
第２の課題は、施肥の量を決めるのは、容器の開口部の開口面積であり、面積が広ければ多量の肥料が取り出され、狭ければ少なくなる。従って、開口面積を調節できる仕組みが必要である。又、肥料の取出を停止させた時は、開口部を完全に閉じて、容器から肥料が溢れ出すのを防がねばならない。開口部を開閉させる動作と、開口部の面積を調節するという動作の二つが要求されている。
【０００５】
【課題を解決するための手段】
第１の課題を解決するために、請求項１の手段では、「上部を長方形の箱型として上面開放可能とし、下部は半円筒形とし、半円筒形の底面に沿ってスクリュー軸を横架し、底面の端部に開口面積の調節が可能な開口部を設けた肥料供給用ホッパーにおいて、スクリュー軸を開口部分とスクリュー部分とに分け、開口部分の回転軸には肥料取出用の撹拌羽根を設け、撹拌羽根付の回転軸と、スクリュー部分の回転軸をカップリングでつなぐ」という手段を用いる。開口部分では、開口部の肥料を排出するために、回転軸に撹拌羽根を取り付けて回転させる。この回転軸の先にスクリューの回転軸をつなぎ、カップリングでつないでおく。容器が空で肥料がないときや、開口部から取り出される肥料の量と、スクリューで押されて開口部に送られる肥料の量がバランスしていれば、両方の回転軸は一緒に回転する。開口部から取り出される肥料の量が少なく、スクリューで送られてくる肥料の方が多いと、スクリューによって肥料が開口部の方へ押し付けられ、スクリュー軸に抵抗が掛り、カップリングが滑り、スクリュー軸は停止する。しかし、開口部の撹拌羽根はそのまま廻り、肥料は排出される。開口部の肥料がなくなると、カップリングに掛る抵抗がなくなり、再びスクリュー軸が回転し、肥料は開口部の方へ押されて送られる。このようなことを繰り返して、容器内の肥料を全て取り出すことが出来る。
【０００６】
第２の課題を解決するために、請求項２の手段では、「上部を長方形の箱型として上面開放可能とし、下部は半円筒形とし、半円筒形の底面に沿ってスクリュー軸を横架し、底面の端部に開口面積の調節が可能な開口部を設けた肥料供給用ホッパーにおいて、開口部に開閉可能なシャッターを設け、開口部をシャッターが全閉及び全開させる開閉レバーと、シャッターの開度を調節出来る開度調節レバーを設ける」という手段を用いる。肥料の取出量を調節するためには、開口部の面積を広くしたり、狭くしたりする必要がある。このために、開口部にシャッターを設け、このシャッターの位置を開度調節レバーで移動可能とし、開口部の開度をセットすれば、取出量を調節することが出来る。又、別に設けた開閉レバーによってシャッターの全閉、全開動作をさせれば、開閉レバーによって肥料の供給と停止を行なうことが出来る。この場合の一つの方法として、開口部に２枚のシャッターを設け、１枚のシャッターは開度調節レバーにつなげて取出量の調節に使用し、他の１枚のシャッターは開閉レバーにつなげて、開口部の全閉と全開動作をすれば、肥料の供給と停止を行なうことができる。
【０００７】
又、第２の課題を解決する為の請求項３の手段では、「シャッターの開閉レバーの操作機構にバネをセットし、開閉レバーの動作とシャッターの動きに遊びをつくり、シャッターの開閉の途中で開度調節レバーにつながるストッパーに当ててシャッターを止め、シャッターの開度を設定する」という手段を用いる。１枚のシャッターで開度の調節と、全閉及び全開の操作を行うために、シャッターの開閉動作を行なうレバーにストッパーを設けておく。シャッターはバネによって常時全開側に押し付けておく。開度調節レバーにつながるストッパーで開度を設定した位置でシャッターを止まるようにしておく。開閉レバーを閉にすればバネの力に打ち勝って、シャッターを全閉させ、開にすればストッパーに当るところまでシャッターを開くことが出来る。
【０００８】
【発明の実施の形態】
図面に基づいて、この発明の実施の形態を説明する。図１は請求項１に示すスクリュー軸と取出用の撹拌羽根の関係を示す側面図である。１は上面が開放され、底面が半円筒形の肥料供給用ホッパーである。２は底面に沿って横架したスクリュー、３はスクリューの一端に溶接したボスであり、スクリュー軸４にはめ込まれている。ボス３にはオイレスメタル５がはめ込んであり、スクリュー軸４に対して遊動自在となっている。ボス６はスクリュー軸４に対して、キー７で止めてある。ボス６には撹拌羽根８が取り付けてあり、スクリュー軸４と共に回転する。ボス３はバネ９によりボス６に押し付けられており、接触面Ａでボス６と接触している。ナット１３を廻すことにより、カラー１２を介してバネ９の強さを調節し、接触面Ａの摩擦力を調節することができる。摩擦力だけでは結合力が足りないときは、接触面Ａへ引掛りの爪を出してもよい。１０はスクリュー軸４を回転させる原動部である。１１は開口部であり、シャッター３１をスライドさせて、開口部１１の面積を調節する。
【０００９】
スクリュー２を回転させると、肥料１４は開口部１１の方向へ送られ、撹拌羽根８の回転により、開口部１１から排出され、シュート１５を通って散布される。スクリュー２で送られてくる肥料の量より、開口部１１から排出される量の方が多く、開口部の肥料が少ないときは、ボス３とボス６の接触面Ａがつながり、撹拌羽根８とスクリュー２は一緒に回転する。開口部１１から排出される量の方が少ないと、開口部附近に肥料がたまり、スクリュー２は肥料１４を押し出す力の反作用でＢ方向へ押され、バネ９の力に打ち勝って、ボス３とボス６の接触面Ａが離れ、スクリュー２は停止し、撹拌羽根８だけが廻り続け、肥料の排出が行なわれる。開口部１１付近の肥料がなくなると、バネ９の力でボス３がボス６に押し付けられ、接触面Ａが接触し、スクリュー２が回転を始め、再び肥料が開口部１１附近へ送られる。
【００１０】
請求項２の発明の実施例を図２、図３によって説明する。図２は開口部１１に設けた２枚のシャッターと２本の操作レバーの関係を示す平面図、図３はシャッターを示す断面図であり、肥料供給用ホッパー１の底部の端に開口部１１があけてある。開口部１１には開口部を全閉、全開する開閉シャッター１６と開口部の開度を調節する開度調節シャッター１７の２ヶのシャッターが設けてある。シャッター１６、１７はシャッターガイド３０に沿ってスライドする。開閉シャッター１６にはピン１９を介して開閉用の開閉レバー１８がつなげてある。開閉レバー１８は肥料供給用ホッパー１に取り付けた支点２０によって支えられている。開度調節シャッター１７はピン２３によってロット２１とつながり、更にピン２４によって開度調節レバー２２につながっている。開度調節レバー２２は支点２５を中心として回動し、開度調節シャッター１７をスライドさせて、開度を調節する。開度調節レバー２２にはつまみ２６が設けてあり、レバー位置固定具２７に対して固定する。２８は開度を示す目盛板である。
【００１１】
作業者は開度調節レバー２２を動かして、開口部１１の開度を決め、つまみ２６で固定する。次いで、開閉レバー１８を引いて、開閉シャッター１６を全開し、スクリュー軸４を回転させれば、開口部１１から肥料が取り出されてくる。この状態で開度調節レバー２２を動かして、肥料の出方を見ながら開度を修正する。
【００１２】
請求項３の発明の実施例を図４、図５により説明する。図４は肥料供給用ホッパーの側面図であり、開度調節レバーと開閉レバーの関係のリンク機構を示している。図５は正面図であり、開口部とシャッター及びシャッター開閉用の操作機構とバネの関係を示している。１１は開口部であり、１枚のシャッター３１が設けてある。３２はシャッターガイドである。シャッター３１はピン３３によってロット３５とつながり、更にピン３４によってＬ型アーム３６の一方のアームにつながっている。Ｌ型アーム３６の他方のアームの先端には、丸棒３７が溶接してあり、丸棒３７の先端は肥料供給用ホッパー１の角から少し突き出してあり、開閉レバー３８、開度調節レバー３９と係合している。Ｌ型アーム３６はピン４０を支点として肥料供給用ホッパー１の側面に取り付けてあり、つる巻バネ４１により、シャッター３１が開になる方向（３６’’の方向）に押し付けられている。
【００１３】
３９はＬ型の開度調節レバーであり、ピン４２を支点として、肥料供給用ホッパー１の側壁に取り付けてある。開度調節レバー３９のアームの一方は、Ｌ型アーム３６の先端の丸棒３７を受けている。開度調節レバー３９の他方のアームの先端は、目盛板４５に合わせてあり、つまみ４４によりレバー位置固定具４３に固定され、シャッター３１の開度を調節できる。３８はＬ型の開閉レバーであり、ピン４２に開度調節レバー３９と重ねて取り付けてある。開閉レバー３８の一方のアームの先端は、開度調節レバー３９と同様に丸棒３７を受けるようになっている。開閉レバー３８の他方のアームの先端はピン４６によってロット４７、ロット４８で構成されるリンク機構につながっている。ロット４８の端はピン４９によって側壁に取り付けてある。ロット４８の途中には、開閉操作棒５０が取り付けてある。
【００１４】
次に開閉操作について説明する。まず、シャッター３１を全閉するために、開閉操作棒５０を上へ引くと、ロット４８がピン４９を支点として回動し、ストッパー５１に当る。このとき、ロット４８は４８’の位置へ、ロット４７は４７’の位置となり、ロット４８、４７は一直線となり、開閉レバー３８を３８’の方向に押し付けることになる。このとき、開閉レバー３８の他端は、丸棒３７を３７’の位置に押し上げる。このとき、Ｌ型アーム３６は、つる巻バネ４１の力に打ち勝って、３６’の位置まで回動し、ロット３５を前方へ押し、シャッター３１は左へ押されて開口部１１を全閉する。操作棒５０を下へ押すと、一直線になっているロット４７’、４８’が４７、４８の位置に折れ曲がり、開閉レバー３８は図４で右へ回動し、開閉レバー３８の他端は下へ下る。Ｌ型アーム３６の先端の丸棒３７はつる巻バネ４１により常に下へ押されているので、開閉レバー３８のアームが下れば、これに従って３７’’の位置に下り、Ｌ型アーム３６は図５でピン４０を支点として左へ回動し３６’’の位置となり、ロット３５は右へ引っ張られ、シャッター３１も右へ移動し、開口部は全開し、肥料が排出される。
【００１５】
次に、つまみ４４をゆるめて、開度調節レバー３９を目盛板４５に従って動かす。開度調節レバー３９のアームの他端は丸棒３７と係合しているので、全開位置にある丸棒３７’’を押し上げる。Ｌ型アーム３６は図５でピン４０を支点として右へ回動し、シャッター３１を少しずつ閉じる方向へ押して行くことになる。肥料の出方を見ながら、ちょうど良い開度のところでつまみ４４で開度調節レバー３９を固定する。このようにすれば、この位置でシャッター３１の開きは止まり、これ以上は開かない。操作棒５０を引き上げれば、前述の順序でシャッター３１は全閉される。操作棒５０を押し下げれば、開閉レバー３８は３８’の位置まで回動するが、丸棒３７は開度調節レバー３９のセット位置で止まり、目盛板４５に示された位置までシャッター３１が開き、セットした量の肥料の取出しが行なわれる。
【００１６】
【発明の効果】
肥料を農地に散布する場合、肥料の種類によって面積当りの散布量が決まっている。この農業用施肥装置は、農地を走行しながら肥料の散布するものであり、走行スピードによって肥料供給用ホッパーからの取出量を変える必要がある。更に、常に一定量の取出量を維持する必要がある。肥料供給用ホッパーからの取出量は非常に少量なので、取出用の開口部も小さなものとなり、ちょっとした抵抗でもつまりやすい。肥料供給用ホッパーの底部にスクリューを横架することにより、底部が横に広く取れ、収容量を大きくすることができる。容器の底部でブリッジを作ることもない。開口部に撹拌羽根をつけることにより、開口部で閉塞することを防ぐことができる。開口部の大きさを調節して、取出量が少なくなっても、撹拌羽根部分とスクリュー部分が分離してあるので、撹拌羽根だけは回転をさせて、取出作業を続けながら、スクリュー部分は自動的に停止させ、開口部の肥料がなくなると、又、自動的にスクリューが回転するので、スクリューを破損することがなく、取出のための動力も小さなものですみ、常に一定量の肥料の取り出しができる。開口部の面積を調節できるレバーによって、肥料の取出量の調節が簡単にできると共に、開閉レバーによって簡単に肥料散布を停止させることができる。開閉レバーを開くことによって、肥料散布を再開できる。このとき、取出量の調節レバーはそのままの位置にセットしてあるので、もう一度取出量をセットしなくても、元の取出量が再現できる。
【図面の簡単な説明】
【図１】請求項１に示すスクリュー軸と取出用の撹拌羽根の関係を示す側面図。
【図２】開口部１１に設けた２枚のシャッターと２本の開閉レバーの関係を示す平面図。
【図３】図２のシャッターを示す断面図。
【図４】開閉用のＬ型レバー、開度調節用のＬ型レバーを示す肥料供給用ホッパーの側面図。
【図５】シャッターとＬ型アームの関係を示す説明図。
【符号の説明】
１  肥料供給用ホッパー
２  スクリュー
３  ボス
４  スクリュー軸
５  オイレスメタル
６  ボス
７  キー
８  撹拌羽根
９  バネ
１０  原動部
１１  開口部
１２  カラー
１３  ナット
１４  肥料
１５  シュート
１６  開閉シャッター
１７  開度調節シャッター
１８  開閉レバー
１９  ピン
２０  支点
２１  ロット
２２  開度調節レバー
２３  ピン
２４  ピン
２５  支点
２６  つまみ
２７  レバー位置固定具
２８  目盛板
３０  シャッターガイド
３１  シャッター
３２  シャッターガイド
３３  ピン
３４  ピン
３５  ロット
３６  Ｌ型アーム
３７  丸棒
３８  開閉レバー
３９  開度調節レバー
４０  ピン
４１  つる巻バネ
４２  ピン
４３  レバー位置固定具
４４  つまみ
４５  目盛板
４６  ピン
４７  ロット
４８  ロット
４９  ピン
５０  開閉操作棒
５１  ストッパー
【図１】
2004305026.tif 000003
【図２】
2004305026.tif 000004
【図３】
2004305026.tif 000005
【図４】
2004305026.tif 000006
【図５】
2004305026.tif 000007